(57)【要約】【課題】発電コストの安い熱電発電装置を用いることによって、各種用途において電力を長時間使用しても電気代がそれほど高いものになることがなく、また、環境にも大きな負荷をかけることのない熱電発電システムを提供する。【解決手段】一般家庭、各種商業施設、各種製造施設、各種公共施設など（以下、「各種施設等」という。）に供給される温泉水を熱源として熱電発電を行う熱電発電装置と、この熱電発電装置で発電された電力を用いて前記各種施設等において使用する表示装置と、を備えたことを特徴とする熱電発電システム。【選択図】　　　　図１
2004048974.tif 000002
【特許請求の範囲】
【請求項１】
一般家庭、各種商業施設、各種製造施設、各種公共施設など（以下、「各種施設等」という。）に供給される温泉水を熱源として熱電発電を行う熱電発電装置と、
この熱電発電装置で発電された電力を用いて前記各種施設等において使用する表示装置と、を備えたことを特徴とする熱電発電システム。
【請求項２】
請求項１に記載の熱電発電システムにおいて、前記表示装置は、ＬＥＤのマトリクスからなる電光掲示板装置であることを特徴とする熱電発電システム。
【請求項３】
請求項２に記載の熱電発電システムにおいて、前記表示装置は、有機ＥＬ表示装置であることを特徴とする熱電発電システム。
【請求項４】
各種施設等に供給される温泉水を熱源として熱電発電を行う熱電発電装置と、
この熱電発電装置で発電された電力を用いて前記各種施設等において使用する装飾装置と、を備えたことを特徴とする熱電発電システム。
【請求項５】
請求項４に記載の熱電発電システムにおいて、前記装飾装置は、イルミネーション装置であることを特徴とする熱電発電システム。
【請求項６】
請求項４に記載の熱電発電システムにおいて、前記装飾装置は、絵、写真、オブジェ等の装飾物をライトアップするライトアップ装飾装置であることを特徴とする熱電発電システム。
【請求項７】
請求項４に記載の熱電発電システムにおいて、前記装飾装置は、光ファイバー装飾装置であることを特徴とする熱電発電システム。
【請求項８】
請求項４に記載の熱電発電システムにおいて、前記装飾装置は、面発光型の有機ＥＬ装飾装置であることを特徴とする熱電発電システム。
【請求項９】
請求項４に記載の熱電発電システムにおいて、前記装飾装置は、絵、写真等の画像を背面からライティングするバックライティング装飾装置であることを特徴とする熱電発電システム。
【請求項１０】
各種施設等に供給される温泉水を熱源として熱電発電を行う熱電発電装置と、
この熱電発電装置で発電された電力を用いて前記各種施設等において使用する常夜灯装置、防犯灯装置又は防犯用音発生装置と、を備えたことを特徴とする熱電発電システム。
【請求項１１】
各種施設等に供給される温泉水を熱源として熱電発電を行う熱電発電装置と、
この熱電発電装置で発電された電力を用いて前記各種施設等において使用する凍結防止装置と、を備えたことを特徴とする熱電発電システム。
【請求項１２】
各種施設等に供給される温泉水を熱源として熱電発電を行う熱電発電装置と、
この熱電発電装置で発電された電力を用いて前記各種施設等において使用する換気装置と、を備えたことを特徴とする熱電発電システム。
【請求項１３】
請求項１乃至１２のいずれかに記載の熱電発電システムにおいて、
前記熱電発電装置からの電力の制御を行うためのコントローラーをさらに備えたことを特徴とする熱電発電システム。
【請求項１４】
請求項１乃至１３のいずれかに記載の熱電発電システムにおいて、
前記熱電発電装置からの電力を集電する集電装置と、
この集電装置からの電力を交流に変換するＤＣ／ＡＣインバータと、
電力会社から購入する電力や電力会社に売却する電力の量を計測する売買電力計と、
前記ＤＣ／ＡＣインバータからの交流電力を家庭用負荷又は／及び電力会社へ導いたり電力会社からの電力を家庭用負荷に導いたりする分電盤と、
これらの必要な制御を行う制御回路と、をさらに備えたことを特徴とする熱電発電システム。
【請求項１５】
各種施設等に供給される温泉水を熱源として熱電発電を行う熱電発電装置と、
この熱電発電装置で発電された電力を用いて所定の地域内で同一系統色の照明を行う複数の照明装置と、を備えたことを特徴とする地域照明システム。
【請求項１６】
請求項１５に記載の地域照明システムにおいて、複数の熱電発電装置を備えたことを特徴とする地域照明システム。
【請求項１７】
請求項１６に記載の地域照明システムにおいて、前記複数の照明装置のそれぞれに熱電発電装置が備え付けられていることを特徴とする地域照明システム。
【請求項１８】
請求項１５乃至１７に記載の地域照明システムにおいて、前記照明装置は、発光色の異なる複数のＬＥＤ素子を含むことを特徴とする地域照明システム。
【請求項１９】
請求項１５乃至１８のいずれかに記載の地域照明システムにおいて、　前記照明装置の照明色を変化させるためのコントローラをさらに備えたことを特徴とする地域照明システム。
【発明の詳細な説明】
【０００１】
【発明が属する技術分野】
本発明は、温泉水を利用して効率のよい発電を行うことのできる熱電発電装置と、この熱電発電装置で発電される発電コストの安い電力を用いて各種用途に用いられる各種装置と、を備えた熱電発電システム及び地域照明システムに関する。
【０００２】
【従来の技術】
温泉水を利用して発電を行う熱電発電システムは、太陽光を利用して発電を行う太陽光発電システムとは異なり、太陽光の利用ができない夜間においても発電を行うことができるという特徴を有しており、太陽光発電システムとともに、その普及が期待されている。
【０００３】
図１６は、熱電発電システムに用いられる熱電発電素子の熱電発電機能を説明するための図である。図１６（ａ）は多数のペルチェ素子が直列に接続された構造を有する熱電発電素子８００の熱電発電機能を説明する図であり、図１６（ｂ）は多数のペルチェ素子が並列に接続された構造を有する熱電発電素子８０２の熱電発電機能を説明する図である。
【０００４】
熱電発電素子８００は、図１６（ａ）に示されるように、吸熱側電極８３０Ｈと放熱側電極８３０Ｌとの間に、Ｐ型半導体８１０Ｐと、Ｎ型半導体８１０Ｎとを交互にπ型に配列させた構造を、吸熱側セラミクス８２０Ｈと放熱側セラミクス８２０Ｌとでさらにサンドイッチした構造を有している。
【０００５】
このため、吸熱側電極８３０Ｈ側を、熱水に接触させる等の手段により放熱側電極８３０Ｌ側よりも高温状態とすると、熱電発電素子８００の上部（吸熱側電極８３０Ｈ側）においては周囲からエネルギを吸収して電子がエネルギレベルの低い状態から高い状態へと移行し、下部（放熱側電極８３０Ｌ側）においては、電子がエネルギレベルの高い状態から低い状態へと移行して余ったエネルギを周囲の結晶格子に与える。このため、熱が矢印Ｄ方向に伝達されるとともに熱電発電素子８００には起電力が生じる。
【０００６】
すなわち、Ｎ型半導体８１０Ｎにおいて電子（−）が矢印Ｂ方向に、またＰ型半導体８１０Ｐにおいてはホール（＋）が矢印Ｃ方向に流れ、結果として電流が流れることになる。
【０００７】
これによって、放熱側電極８３０Ｌに導電線によって接続された電圧計Ｖ及び電流計Ａの針が、発生した電圧及び電流に応じて振れると共に、負荷に電流が流れ所定の動作を行われる。その結果、熱エネルギは電気エネルギに変換され、変換された電気エネルギーは、負荷部分で有効に利用される。図１６（ｂ）の熱電発電素子８０２においても、基本的には図１６（ａ）の熱電発電素子８００の場合と同じように、熱電発電機能を発揮する。
【０００８】
特開平１１−２４７７５３号公報には、このような熱電発電素子を用いて、熱水（温泉水）を利用して効率のよい発電を行うことのできる熱電発電システムや、この熱電発電システムに用いられる熱電発電装置が開示されている。図１７は、同公報に記載された熱電発電装置の外観図である。図１７に示されるように、この熱電発電装置９００は、熱水取込口９３０から熱水を取り込み熱水排水口９３２より熱水を排水する熱水流路９２２と、冷水取込口９３４から冷水を取り込み冷水排水口９３６より冷水を排水する冷水流路９２６と、一端部が熱水流路に熱的に接続され他端部が冷水流路に熱的に接続された熱電発電素子９２４と、を備えている。
【０００９】
このため、熱水流と冷水流の温度差を熱電発電素子９２４に与えることによって発電を行うようにしているため、常に新しい熱水と冷水が発電のために供給され、熱電発電素子９２４の両端の温度差を維持して、高い発電効率を得ることができる。
【００１０】
また、近年、通行人の目を楽しませるために、道沿いのクリスマスツリーに多数の電球を飾り付けたり、道沿いに絵、写真、オブジェ等の装飾物を置きこの装飾物をライトアップしたりすることが恒例化している。また、近年、防犯のために常夜灯を設置することも多くなっている。また、寒冷地においては、水道管の中の水が夜間に凍結することのないように水道管の周りに凍結防止帯を巻いて一晩中この凍結防止帯を加熱することが広く実施されている。また、住宅の高気密化に伴い、１日中換気装置を運転して計画換気を行うことが近年広く実施されている。
【００１１】
【発明が解決しようとする課題】
しかしながら、これらは、それぞれ所定の目的のもとに行われている訳ではあるが、その性質上長時間の連続使用が前提とされているため、これらによる電力の使用量は多大なものとなり電気代が高いものになるという問題点があった。また、これらは、多くの家庭や施設において広く実施されているため、これらによる電力使用量は莫大なものとなり、環境にも大きな負荷をかけることになるという問題点があった。
【００１２】
このため、本件出願の発明者等は、これらの用途に、上記した従来の熱電発電装置を用いることを考えたが、この従来の熱電発電装置においては、常に新しい熱水と冷水が必要であるため、上記問題点を解決するにはまだ発電コストが高いという問題点があった。
【００１３】
そこで、本発明は、発電コストの安い熱電発電装置を用いることによって、上記各種用途において電力を長時間使用しても、電気代がそれほど高いものになることがなく、また、環境にも大きな負荷をかけることのない熱電発電システム及び地域照明システムを提供することを目的とする。
【００１４】
【課題を解決するための手段】
（１）本発明の熱電発電システムは、一般家庭、各種商業施設、各種製造施設、各種公共施設など（以下、「各種施設等」という。）に供給される温泉水を熱源として熱電発電を行う熱電発電装置と、
この熱電発電装置で発電された電力を用いて前記各種施設等において使用する表示装置と、を備えたことを特徴とする。
【００１５】
出願人（株式会社イングスシナノ）の本社所在地である下諏訪町（長野県）は、温泉の町として広く知られている。この下諏訪町においては、一般家庭、各種商業施設、各種製造施設、各種公共施設などには、温泉水が引かれ、それぞれ風呂、暖房などに用いられている。
【００１６】
本発明の熱電発電システムにおける熱電発電装置は、このようにすでに社会インフラとして存在している温泉水を熱源として用いて熱電発電を行っているため、発電のためにとりたてて新しい温泉水を必要としなくなり発電コストを安いものにすることができる。このため、本発明の熱電発電システムにおいては、このように発電コストの安い熱電発電装置で発電された安価な電力を用いることができるため、表示装置を長時間にわたって使用しても、電気代がそれほど高いものにならず、また、環境にも大きな負荷をかけることがなくなる。
【００１７】
上記（１）に記載の熱電発電システムにおいては、前記熱電発電装置は、大気中に熱を放出する放熱部材をさらに有することが好ましい。このように構成することにより、本発明の熱電発電システムは、放熱のための冷却水を必ずしも必要としなくなるため、運転コストをさらに安価なものにすることができる。このため、これらの表示装置を長時間にわたって使用しても、電気代がそれほど高いものにならず、また、環境にも大きな負荷をかけることがなくなる、という効果が大きくなる。
【００１８】
（２）上記（１）に記載の熱電発電システムにおいては、前記表示装置は、ＬＥＤのマトリクスからなる電光掲示板装置であることができる。このように構成することにより、もともと消費電力の低いＬＥＤを用いて表示を行うことができるため、この表示装置を長時間にわたって使用しても、電気代がそれほど高いものにならず、また、環境にも大きな負荷をかけることがなくなる、という効果が大きくなる。この電光掲示板装置は、屋外に設置して、交通情報、地域情報、広告情報その他の情報を表示する装置として好ましく用いることができる。
【００１９】
（３）上記（１）に記載の熱電発電システムにおいては、前記表示装置は、有機ＥＬ表示装置であることもできる。このように構成することにより、もともと消費電力の低い有機ＥＬを用いて表示を行うことができるため、この表示装置を長時間にわたって使用しても、電気代がそれほど高いものにならず、また、環境にも大きな負荷をかけることがなくなる、という効果が大きくなる。この表示装置も、屋外に設置して、交通情報、地域情報、広告情報その他の情報を表示する装置として好ましく用いることができる。
【００２０】
（４）本発明の熱電発電システムは、各種施設等に供給される温泉水を熱源として熱電発電を行う熱電発電装置と、
この熱電発電装置で発電された電力を用いて前記各種施設等において使用する装飾装置と、を備えたことを特徴とする。
【００２１】
このため、本発明の熱電発電システムは、上記（１）に記載された熱電発電システムと同様に、発電コストの安い熱電発電装置で発電された安価な電力を用いることができるため、これらの装飾装置を長時間にわたって使用しても、電気代がそれほど高いものにならず、また、環境にも大きな負荷をかけることがなくなる。
【００２２】
上記（４）に記載の熱電発電システムにおいては、前記熱電発電装置は、大気中に熱を放出する放熱部材をさらに有することが好ましい。このように構成することにより、本発明の熱電発電システムは、放熱のための冷却水を必ずしも必要としなくなるため、運転コストをさらに安価なものにすることができる。このため、これらの装飾装置を長時間にわたって使用しても、電気代がそれほど高いものにならず、また、環境にも大きな負荷をかけることがなくなる、という効果が大きくなる。
【００２３】
（５）上記（４）に記載の熱電発電システムにおいては、前記装飾装置は、イルミネーション装置であることができる。イルミネーション装置には、道行く人の目を楽しませる目的で屋外に設置される屋外設置型のイルミネーション装置と、屋内で楽しむために屋内に設置される屋内設置型のイルミネーション装置の両方を含む。屋外設置型のイルミネーション装置としては、クリスマスツリー等に多数の電球を飾り付けたイルミネーション装置を好ましく用いることができる。
【００２４】
（６）上記（４）に記載の熱電発電システムにおいては、前記装飾装置は、絵、写真、オブジェ等の装飾物をライトアップするライトアップ装飾装置であることもできる。このライトアップ装飾装置も、道行く人の目を楽しませる目的で屋外に設置される屋外設置型の装飾装置と、屋内で楽しむために屋内に設置される屋内設置型の装飾装置の両方を含む。屋外設置型のライトアップ装飾装置としては、絵や写真をライトアップしたものを好ましく用いることができる。
【００２５】
（７）上記（４）に記載の熱電発電システムにおいては、前記装飾装置は、光ファイバー装飾装置であることもできる。この光ファイバー装飾装置も、道行く人の目を楽しませる目的で屋外に設置される屋外設置型の光ファイバー装飾装置と、屋内で楽しむために屋内に設置される屋内設置型の光ファイバー装飾装置の両方を含む。屋外設置型のライトアップ装飾装置としては、多数の光ファイバーを花や動物（例えば孔雀）のように配置したものをゆっくり回転するように構成したものを好ましく用いることができる。
【００２６】
（８）上記（４）に記載の熱電発電システムにおいては、前記装飾装置は、面発光型の有機ＥＬ装飾装置であることもできる。このように構成することにより、もともと消費電力の低い有機ＥＬを用いて表示を行うこととしたため、この装飾装置を長時間にわたって使用しても、電気代がそれほど高いものにならず、また、環境にも大きな負荷をかけることがなくなる、という効果が大きくなる。この有機ＥＬ表示装置は、夜間は有機ＥＬの発光を利用して道行く人の目を楽しませることができるし、昼間は有機ＥＬの配置模様をそのまま表示することにより道行く人の目を楽しませることができる。従って、昼間は電気代は不要となる。
【００２７】
（９）上記（４）に記載の熱電発電システムにおいては、前記装飾装置は、絵、写真などの画像を背面からライティングするバックライティング装飾装置であることもできる。このバックライティング装飾装置は、道行く人の目を楽しませる目的で屋外に設置される装飾装置として好ましく用いることがもできる。昼間は絵、写真などをそのまま表示することにより道行く人の目を楽しませることができる。従って、昼間は電気代は不要となる。
【００２８】
（１０）本発明の熱電発電システムは、各種施設等に供給される温泉水を熱源として熱電発電を行う熱電発電装置と、
この熱電発電装置で発電された電力を用いて前記各種施設等において使用する常夜灯装置、防犯灯装置又は防犯用音発生装置と、を備えたことを特徴とする。
【００２９】
このため、本発明の熱電発電システムは、上記（１）や（４）に記載された熱電発電システムと同様に、発電コストの安い熱電発電装置で発電された安価な電力を用いることができるため、これらの常夜灯装置等を長時間にわたって使用しても、電気代がそれほど高いものにならず、また、環境にも大きな負荷をかけることがなくなる。
【００３０】
上記（１０）に記載の熱電発電システムにおいては、前記熱電発電装置は、大気中に熱を放出する放熱部材をさらに有することが好ましい。このように構成することにより、本発明の熱電発電システムは、放熱のための冷却水を必ずしも必要としなくなるため、運転コストをさらに安価なものにすることができる。このため、これらの常夜灯装置等を長時間にわたって使用しても、電気代がそれほど高いものにならず、また、環境にも大きな負荷をかけることがなくなる、という効果が大きくなる。
【００３１】
（１１）本発明の熱電発電システムは、各種施設等に供給される温泉水を熱源として熱電発電を行う熱電発電装置と、
この熱電発電装置で発電された電力を用いて前記各種施設等において使用する凍結防止装置と、を備えたことを特徴とする。
【００３２】
このため、本発明の熱電発電システムは、上記（１）、（４）又は（１０）に記載された熱電発電システムと同様に、発電コストの安い熱電発電装置で発電された安価な電力を用いることができるため、これらの凍結防止装置を長時間にわたって使用しても、電気代がそれほど高いものにならず、また、環境にも大きな負荷をかけることがなくなる。このため、電気使用量をあまり心配することがなく大きなマージンをとって凍結防止装置を使用できるので、水道管の凍結をより確実に防止できる。
【００３３】
上記（１１）に記載の熱電発電システムにおいては、前記熱電発電装置は、大気中に熱を放出する放熱部材をさらに有することが好ましい。このように構成することにより、本発明の熱電発電システムは、放熱のための冷却水を必ずしも必要としないため、運転コストをさらに安価なものにすることができる。このため、これらの凍結防止装置を長時間にわたって使用しても、電気代がそれほど高いものにならず、また、環境にも大きな負荷をかけることがなくなる、という効果が大きくなる。
【００３４】
（１２）本発明の熱電発電システムは、各種施設等に供給される温泉水を熱源として熱電発電を行う熱電発電装置と、
この熱電発電装置で発電された電力を用いて前記各種施設等において使用する換気装置と、を備えたことを特徴とする。
【００３５】
このため、本発明の熱電発電システムは、上記（１）、（４）、（１０）又は（１１）に記載された熱電発電システムと同様に、発電コストの安い熱電発電装置で発電された安価な電力を用いることができるため、これらの換気装置を長時間にわたって使用しても、電気代がそれほど高いものにならず、また、環境にも大きな負荷をかけることがなくなる。このため、この換気装置を高気密住宅の計画換気システムに組み入れることにより、高気密住宅における住環境の向上に大きく寄与することができる。また、この換気装置を屋根裏の換気に用いた場合には、夏期において屋根裏や屋根裏部屋が温まりすぎることがなくなるので、屋根裏を倉庫として使用している場合には保管している物がいたまなくなり、屋根裏を屋根裏部屋として使用している場合にはその部屋の居住性が向上する。また、この換気装置を床下の換気に用いた場合には、床下の湿気が抜けるため、建物の耐久性が向上する。
【００３６】
（１３）上記（１）乃至（１２）のいずれかに記載の熱電発電システムにおいては、前記熱電発電装置からの電力の制御を行うためのコントローラーをさらに備えたものとすることが好ましい。このように構成することにより、各種装置のより細かい制御を行えるようになる。
【００３７】
（１４）上記（１）乃至（１３）のいずれかに記載の熱電発電システムにおいては、
前記熱電発電装置からの電力を集電する集電装置と、
この集電装置からの電力を交流に変換するＤＣ／ＡＣインバータと、
電力会社から購入する電力や電力会社に売却する電力の量を計測する売買電力計と、
前記ＤＣ／ＡＣインバータからの交流電力を家庭用負荷又は／及び電力会社へ導いたり電力会社からの電力を家庭用負荷に導いたりする分電盤と、
これらの必要な制御を行う制御回路と、をさらに備えたものとすることが好ましい。
【００３８】
本発明の熱電発電システムは、熱電発電素子の放熱面における熱を大気中に放出するため、外気温によって出力が変動する。また、各種施設などにおける電力使用量も時間とともに変動する。しかしながら、上記のように構成すると、電力があまったときは電力会社にその電力を販売することができ、電力が足らないときはその足らない電力を電力会社から購入することができる。このため、電力会社との電力の売買が容易になり、国の代替エネルギー推進の政策にも沿うものとなる。
【００３９】
上記（１４）に記載の熱電発電システムにおいては、集電装置からの電力を蓄える充電池と、この充電池に充電を行う充電回路と、をさらに備えたものであることが好ましい。
【００４０】
このように構成すると、あまった電気の全部又は一部は電力会社に販売せずに充電池に充電しておくこともできる。充電池は、効率低下を抑制するために、各施設の屋内に設置することが好ましい。
【００４１】
上記（１４）に記載の熱電発電システムにおいては、日時や気温や湿度や温泉水の温度や前記売買電力計で計測された結果などを表示するモニタリングシステムをさらに備えたものであることが好ましい。
【００４２】
このように構成すると、熱電発電装置によって発電された電力の量や、電力会社に販売した電力の量（及び代金）、電力会社から購入した電力の量（及び代金）の目に見える管理ができるようになる。すなわち、熱電発電システムを導入した効果が目に見えるようになり、この熱電発電システム導入の効果を確認しながらこのシステムを運用することができる。この結果、火力発電や原子力発電を代替する代替エネルギーの普及・啓蒙にも役立つ。さらにこの熱電発電システムの効果をデモンストレーションするためのモデルハウスを設置すれば、さらに、火力発電や原子力発電を代替する代替エネルギーの普及・啓蒙にも役立つ。
【００４３】
（１５）本発明の地域照明システムは、各種施設等に供給される温泉水を熱源として熱電発電を行う熱電発電装置と、
この熱電発電装置で発電された電力を用いて所定の地域内で同一系統色の照明を行う複数の照明装置と、を備えたことを特徴とする。
【００４４】
このため、本発明の地域照明システムは、上記（１）に記載された熱電発電システムと同様に、発電コストの安い熱電発電装置で発電された安価な電力を用いることができるため、この地域照明システムを長時間にわたって使用しても、電気代がそれほど高いものにならず、また、環境にも大きな負荷をかけることがなくなる。
【００４５】
上記（１５）に記載の地域照明システムにおいては、前記熱電発電装置は、大気中に熱を放出する放熱部材をさらに有することが好ましい。このように構成することにより、本発明の地域照明システムは、放熱のための冷却水を必ずしも必要としなくなるため、運転コストをさらに安価なものにすることができる。このため、この地域照明システムを長時間にわたって稼働しても、電気代がそれほど高いものにならず、また、環境にも大きな負荷をかけることがなくなる、という効果が大きくなる。
【００４６】
上記（１５）に記載の地域照明システムにおいては、照明装置として町の街路灯のようなものを好ましく用いることができる。例えば、旅館街、商店街、ビジネス街、学生街、住宅街のような所定の地域内で、照明装置としての街路灯が例えば「かりん色」の照明を行うようにすれば、その地域のイメージアップ、その地域の統一感の向上、その地域の美化など、その地域にとって好ましい環境を創出することができる。
【００４７】
（１６）上記（１５）に記載の地域照明システムにおいては、複数の熱電発電装置を備えたものであることが好ましい。
【００４８】
このように構成することにより、発電される電力も大きなものとなり、かなり広い地域の照明を賄うことができる。そして、そのかなり広い地域全体にわたって同一系統色の照明を行うことができるため、広い地域全体にわたってその地域全体のイメージアップ、その地域全体の統一感の向上、その地域全体の美化など、その地域全体にとって好ましい環境を創出することができる。
【００４９】
（１７）上記（１６）に記載の地域照明システムにおいては、前記複数の照明装置のそれぞれに熱電発電装置が備え付けられていることが好ましい。
【００５０】
このように構成することにより、照明装置の近傍に供給されている温泉水を熱源として熱電発電を行うことができるので、発電された電力をその場で効率的に使用することができる。
【００５１】
（１８）上記（１５）乃至（１７）のいずれかに記載の地域照明システムにおいては、前記照明装置は、発光色の異なる複数のＬＥＤ素子を含むものであることが好ましい。
【００５２】
このように構成することにより、もともと消費電力の低いＬＥＤを用いて照明を行うことができるため、この地域照明システムを長時間にわたって稼働しても、電気代がそれほど高いものにならず、また、環境にも大きな負荷をかけることがなくなる、という効果が大きくなる。また、発光させるＬＥＤを適宜選択することにより、照明色を適宜選択することが可能になる。
【００５３】
（１９）上記（１５）乃至（１８）のいずれかに記載の地域照明システムにおいては、前記照明装置の照明色を変化させるためのコントローラをさらに備えたものであることが好ましい。
【００５４】
このように構成することにより、所定の地域内で同一系統色の照明を行うことが容易になる。例えば、旅館街、商店街、ビジネス街、学生街、住宅街のような所定の地域内毎に照明色を異ならせることが容易となる。また、例えば、夕方、深夜、明け方のような時間帯毎に照明色を異ならせることも容易となる。さらにまた、季節によって照明色を変化させることもできるようになる。例えば、秋、冬、春は温かみのある「かりん色」の照明を行い、夏は涼しい「ほたる色」の照明を行うようにすることができる。
【００５５】
【発明の実施の形態】
以下、図面を用いて、本発明の実施の形態を詳しく説明する。
【００５６】
（実施形態１）
図１は、本発明の実施形態１に係る熱電発電システム１０の説明図である。図２は　本発明の実施形態１に係る熱電発電装置５０の部分拡大図である。図１及び図２に示されるように、実施形態１に係る熱電発電システム１０は、温泉水を熱源として熱電発電を行うための熱電発電システムである。
【００５７】
温水タンク３０は、暖房などに用いる温泉水を貯蔵する温水タンクであって、一般家庭、各種商業施設、各種製造施設、各種公共施設などに設置されている。温水タンク３０には、供給ライン３２を介して温泉水が常時又は間欠的に供給されている。温泉水の供給は取水バルブ３２Ｖの開閉により行っている。また、温水タンク３０にはオーバーフローした温泉水を排水するためのオーバーフロー管３４と、温水タンク３０の底にたまったゴミなどを除去するためのドレイン管３６が接続されている。ゴミなどを除去する際にはドレインバルブ３６Ｖを開くことにより行う。この除去されたゴミなどは、オーバーフローした温泉水とともに排水溝４２に排出される。屋内に設置された風呂桶２２などに温泉水を供給するための屋内導入管３８が接続されている。温泉水の供給は屋内導入バルブ３８Ｖの開閉により行う。
【００５８】
熱電発電システム１０は、温水タンク３０に温泉水を供給するための供給ライン３２に接続された熱電発電装置５０を備えている。そして、この熱電発電装置５０は、図２を参照して、サブタンク本体６２とこのサブタンク本体６２を断熱するために設けられた断熱材６４とからなる熱電発電用サブタンク６０と、熱電発電素子Ａと断熱材７２と放熱部材７４とを備えた熱電発電部７０と、を備えている。この熱電発電装置５０は、熱電発電用サブタンク６０中の温泉水を熱源として熱電発電を行う。熱電発電装置５０は、電力線５２を介して、発電された電力を屋内制御装置５４に送電する。
【００５９】
熱電発電システム１０によれば、各家庭などにすでに設置されている温水タンク３０に温泉水を供給するための供給ライン３２に熱電発電装置５０を接続し、この熱電発電装置５０中の熱電発電用サブタンク６０中の温泉水を熱源として用いて熱電発電を行うため、発電のためにとりたてて新しい温泉水を必要としなくなり運転コストを安価なものにすることができる。
【００６０】
熱電発電装置５０は、図２に示されるように、大気中に熱を放出するための放熱部材７４をさらに有している。このため、熱電発電システム１０は、放熱のための冷却水を必ずしも必要としなくなり、運転コストをさらに安価なものにすることができる。
【００６１】
実施形態１に係る熱電発電システム１０は、図１には図示されていないが、ＬＥＤのマトリクスからなる電光掲示板装置１１０を備えている。図３は、実施形態１に係る熱電発電システム１０における電光掲示板装置１１０の外観図である。この電光掲示板装置１１０は、電光掲示板装置の筐体１１４の前面にＬＥＤのマトリクスが配置された構造を有しており、図３には図示されていないコントローラ８０と接続される電線１１８を有している。
【００６２】
実施形態１に係る熱電発電システム１０は、発電コストの安い電力を用いることができるうえに、もともと消費電力の低いＬＥＤのマトリクスを用いて表示を行うことで、この電光掲示板装置１１０を長時間にわたって使用しても、電気代がそれほど高いものにならず、また、環境にも大きな負荷をかけることがない。この電光掲示板装置１１０は、屋外に設置して、交通情報、地域情報、広告情報その他の情報を表示する装置として好ましく用いることができる。
【００６３】
図４は、本発明の実施形態１に係る熱電発電システム１０のブロック図である。図４に示されるように、この熱電発電システム１０は、この熱電発電装置５０からの電力を集電する集電装置と、この集電装置からの電力を交流に変換するＤＣ／ＡＣインバータと、電力会社に販売する電力の量や電力会社から購入する電力の量を計測する売買電力計と、前記ＤＣ／ＡＣインバータからの交流電力を家庭用負荷又は／及び電力会社へ導いたり、電力会社からの電力を家庭用負荷に導いたりする分電盤と、これらの必要な制御を行う制御回路と、をさらに備えている。
【００６４】
熱電発電システム１０は、熱電発電素子Ａの放熱面における熱を大気中に放出するため、外気温によって出力が変動する。また、各種施設などにおける電力使用量も時間とともに変動する。しかしながら、このように構成すると、電力があまったときは電力会社にその電力を販売することができ、電力が足らないときはその足らない電力を電力会社から購入することができる。このため、電力会社との電力の売買が容易になり、国の代替エネルギー推進の政策にも沿うものとなる。
【００６５】
熱電発電システム１０は、集電装置からの電力を蓄える充電池と、この充電池に充電を行う充電回路と、をさらに備えている。このため、あまった電気の全部又は一部は電力会社に販売せずに充電池に充電しておくこともできる。
【００６６】
熱電発電システム１０は、日時、天候、気温、湿度、温泉水の温度、前記売買電力計で計測された結果、熱電発電装置の異常などを知らせるアラーム情報などを表示するモニタリングシステムをさらに備えている。このため、熱電発電装置１５０によって発電された電力の量や、電力会社に販売した電力の量（及び代金）、電力会社から購入した電力の量（及び代金）が、目に見えるようになりる。すなわち、熱電発電システム１０を導入した効果が目に見えるようになり、この熱電発電システム１０の導入の効果を確認しながらこのシステムを利用することができる。この結果、火力発電や原子力発電を代替する代替エネルギーの普及・啓蒙にも役立つ。さらにこの熱電発電システムの効果をデモンストレーションするためのモデルハウスを設置すれば、さらに、火力発電や原子力発電を代替する代替エネルギーの普及・啓蒙にも役立つ。
【００６７】
（実施形態２）
図５は、本発明の実施形態２に係る熱電発電システムにおける有機ＥＬ表示装置１２０の外観図である。この有機ＥＬ表示装置１２０は、図５に示されているように、筐体１２４の前面に有機ＥＬパネルが配置された構造を有しており、図示しないコントローラ８０と接続される電線１２８を有している。実施形態２に係る熱電発電システムにおける熱電発電装置は、実施形態１に係る熱電発電システムにおける熱電発電装置５０と同じものを用いている。
【００６８】
このため、実施形態２に係る熱電発電システムは、発電コストの安い電力を用いることができるうえに、もともと消費電力の低い有機ＥＬを用いて表示を行うことで、この有機ＥＬ表示装置１２０を長時間にわたって使用しても、電気代がそれほど高いものにならず、また、環境にも大きな負荷をかけることがない。この有機ＥＬ表示装置１２０は、屋外に設置して、交通情報、地域情報、広告情報その他の情報を表示する装置として好ましく用いることができる。
【００６９】
（実施形態３）
【００７０】
図６は、本発明の実施形態３に係る熱電発電システムにおける屋外型イルミネーション装置１３０の外観図である。この屋外型イルミネーション装置１３０は、図６に示されているように、クリスマスツリー１３４の周囲に多くの電球１３２を飾り付けしたものであり、図示しないコントローラ８０と接続される電線１３８を有している。実施形態３に係る熱電発電システムにおける熱電発電装置は、実施形態１に係る熱電発電システムにおける熱電発電装置５０と同じものを用いている。
【００７１】
このため、実施形態３に係る熱電発電システムは、発電コストの安い電力を用いることができるため、この屋外型イルミネーション装置１３０を長時間にわたって使用しても、電気代がそれほど高いものにならず、また、環境にも大きな負荷をかけることがない。
【００７２】
（実施形態４）
図７は、本発明の実施形態４に係る熱電発電システムにおける絵１４２をライト１４６でライトアップするライトアップ装飾装置１４０の外観図である。この装飾装置１４０は、図７に示されているように、インクジェットプリンタ等により防水シート１４４に描かれた絵１４２をライト１４８でライトアップできる構造を有している。そして、図示しないコントローラ８０と接続される電線１４８を有している。実施形態４に係る熱電発電システムにおける熱電発電装置は、実施形態１に係る熱電発電システムにおける熱電発電装置５０と同じものを用いている。
【００７３】
このため、実施形態４に係る熱電発電システムは、発電コストの安い電力を用いることができるため、このライトアップ装飾装置１４０を長時間にわたって使用しても、電気代がそれほど高いものにならず、また、環境にも大きな負荷をかけることがない。このライトアップ装飾装置１４０においては、絵の代わりに写真を好ましく用いることができる。また、立体的な置物などのオブジェをも好ましく用いることができる。
【００７４】
（実施形態５）
図８は、本発明の実施形態５に係る熱電発電システムにおける光ファイバー装飾装置１５０の外観図である。この光ファイバー装飾装置１５０は、図８に示されているように、固定台１５４上で回転する回転台１５５に多数の光ファイバー１５２を配置し、この多数の光ファイバー１５２のそれぞれの一方の端面にライトの照明光を導き、他方の端面からその照明光を出射する構造を有するものであり、図示しないコントローラ８０と接続される電線１５８を有している。実施形態５に係る熱電発電システムにおける熱電発電装置は、実施形態１に係る熱電発電システムにおける熱電発電装置５０と同じものを用いている。
【００７５】
このため、実施形態５に係る熱電発電システムは、発電コストの安い電力を用いることができるため、この光ファイバー装飾装置１５０を長時間にわたって使用しても、電気代がそれほど高いものにならず、また、環境にも大きな負荷をかけることがない。この実施形態においては、光ファイバーを花の模様に配置したが、これに限られず孔雀のような動物やその他の任意の模様に配置してもよい。
【００７６】
（実施形態６）
図９は、本発明の実施形態６に係る熱電発電システムにおける有機ＥＬ装飾装置１６０の外観図である。この有機ＥＬ装飾装置１６０は、図９に示されているように、インクジェットプリンタ等により基材１６４の表面に有機ＥＬ材料で絵が描かれた構造を有しており、図示しないコントローラ８０と接続される電線１６８を有している。実施形態６に係る熱電発電システムにおける熱電発電装置は、実施形態１に係る熱電発電システムにおける熱電発電装置５０と同じものを用いている。
【００７７】
このため、実施形態６に係る熱電発電システムは、発電コストの安い電力を用いることができるため、この有機ＥＬ装飾装置１６０を長時間にわたって使用しても、電気代がそれほど高いものにならず、また、環境にも大きな負荷をかけることがない。
【００７８】
（実施形態７）
図１０は、本発明の実施形態７に係る熱電発電システムにおけるバックライティング装飾装置１７０の外観図である。このバックライティング装飾装置１７０は、図１０に示されているように、インクジェットプリンタ等により半透明基材１７４の表面に描かれた絵１７２の裏面からライト１７６でバックライティングできる構造を有しており、このライト１７６は図示しないコントローラ８０と電線１７８で接続されている。実施形態７に係る熱電発電システムにおける熱電発電装置は、実施形態１に係る熱電発電システムにおける熱電発電装置５０と同じものを用いている。
【００７９】
このため、実施形態７に係る熱電発電システムは、発電コストの安い電力を用いることができるため、このバックライティング装飾装置１７０を長時間にわたって使用しても、電気代がそれほど高いものにならず、また、環境にも大きな負荷をかけることがない。
【００８０】
（実施形態８）
図１１は、本発明の実施形態７に係る熱電発電システムにおける防犯装置１８０の外観図である。この防犯装置１８０は、図１１に示されているように、防犯装置本体１８４部分に取り付けられた防犯灯１８２と、人や物が接近すると作動するセンサ１８６と、を備えている。そして、夜間に人や物が接近すると、一定時間ライトが点灯する機能を有しており、図示しないコントローラ８０と接続される電線１６８を有している。実施形態７に係る熱電発電システムにおける熱電発電装置は、実施形態１に係る熱電発電システムにおける熱電発電装置５０と同じものを用いている。
【００８１】
このため、実施形態８に係る熱電発電システムは、発電コストの安い電力を用いることができるため、この防犯装置１８０を長時間にわたって使用しても、電気代がそれほど高いものにならず、また、環境にも大きな負荷をかけることがない。なお、この防犯装置１８０は、人や物が接近するとライトが点灯するように構成されているが、これとは異なり常時ライトを点灯させる常夜灯装置とすることもできる。また、人や物が接近すると警報音を発生させるようにすることもできる。また、動物や虫の嫌いな周波数の音を発生させて、その動物や虫の接近を防止するようにすることもできる。
【００８２】
（実施形態９）
図１２は、本発明の実施形態９に係る熱電発電システムにおける凍結防止装置１９０の外観図である。この凍結防止装置１９０は、図１２に示されているように、屋外に配設された水道管１９６の回りに巻かれた凍結防止帯１９２と、この屋外に設置された水道管１９６の近傍の温度をセンスする温度センサー１９４とを備えている。そして、夜間に温度センサー１９４近傍の温度が所定温度より低くなると、凍結防止帯１９２に電流が流れて水道管が加熱され、凍結が防止される。この凍結防止装置は、図示しないコントローラ８０と接続される電線１９８を有している。また、実施形態９に係る熱電発電システムにおける熱電発電装置は、実施形態１に係る熱電発電システムにおける熱電発電装置５０と同じものを用いている。
【００８３】
このため、実施形態９に係る熱電発電システムは、発電コストの安い電力を用いることができるため、この凍結防止装置１９０を長時間にわたって使用しても、電気代がそれほど高いものにならず、また、環境にも大きな負荷をかけることがない。
【００８４】
（実施形態１０）
図１３は、本発明の実施形態１０に係る熱電発電システムにおける換気装置２００の外観図である。この換気装置２００は、図１３に示されているように、屋内に設置された屋内制御装置５４と、この屋内制御装置５４からの電力で運転される換気扇２０２Ａ，２０２Ｂ，２０２Ｃを備えている。換気扇２０２Ｃは、住居２０の部屋に設置され連続運転している。また、換気扇２０２Ａは、住居２０の屋根裏に設置され間欠運転している。また、換気扇２０２Ｂは、住居２０の床下２０Ｂに設置され間欠運転している。屋内制御装置５４は、実施形態１に係る熱電発電システムにおける熱電発電装置５０と同じものに接続されている。
【００８５】
このため、実施形態１０に係る熱電発電システムは、発電コストの安い電力を用いることができるため、この換気装置２００Ａ，Ｂ，Ｃを長時間にわたって使用しても、電気代がそれほど高いものにならず、また、環境にも大きな負荷をかけることがない。
【００８６】
（実施形態１１）
図１４は、本発明の実施形態１１に係る地域照明システムの説明図である。この地域照明システムは、熱電発電装置（図示せず。）と、図１４に示されたような複数の街路灯を備えている。この街路灯は、図１４に示されるように、例えば旅館街のような所定地域内において、道路の両側に一定間隔で配置されており、その所定地域にある熱電発電装置で発電された電力を用いて照明を行っている。そして、これらの街路灯の照明色は、所定地域内で同一系統色（例えば「かりん色」）としている。
【００８７】
このため、実施形態１１に係る地域照明システムは、実施形態１に記載された熱電発電システムと同様に、発電コストの安い熱電発電装置で発電された安価な電力を用いることができるため、これらの地域照明システムを長時間にわたって稼働しても、電気代がそれほど高いものにならず、また、環境にも大きな負荷をかけることがなくなる。
【００８８】
実施形態１１に係る地域照明システムにおいては、熱電発電装置は、大気中に熱を放出する放熱部材をさらに有している。このため、実施形態１１に係る地域照明システムは、放熱のための冷却水を必ずしも必要としなくなるため、運転コストをさらに安価なものにすることができる。このため、この地域照明システムを長時間にわたって稼働しても、電気代がそれほど高いものにならず、また、環境にも大きな負荷をかけることがなくなる、という効果が大きくなる。
【００８９】
実施形態１１に係る地域照明システムにおいては、上記した旅館街に限られず、例えば、商店街、ビジネス街、学生街、住宅街のような所定の地域内で、好ましく用いることができる。そして、これらの地域で、街路灯が同一系統色（例えば「かりん色」）の照明を行うようにすれば、その地域のイメージアップ、その地域の統一感の向上、その地域の美化など、その地域にとって好ましい環境を創出することができる。
【００９０】
実施形態１１に係る地域照明システムは、複数の熱電発電装置を備えている。このため、発電される電力も大きなものとなり、かなり広い地域の照明を賄うことができる。そして、そのかなり広い地域全体にわたって同一系統色の照明を行うことができるため、広い地域全体にわたってその地域全体のイメージアップ、その地域全体の統一感の向上、その地域全体の美化など、その地域全体にとって好ましい環境を創出することができる。
【００９１】
実施形態１１に係る地域照明システムにおいては、複数の照明装置のそれぞれに熱電発電装置が備え付けられている。このため、照明装置の近傍に供給されている温泉水を熱源として熱電発電を行うことができるので、発電された電力をその場で効率的に使用することができる。
【００９２】
一方、実施形態１１に係る地域照明システムにおいては、複数の熱電発電装置が協力して複数の照明装置に電力を供給するようなシステムとすることもできる。この場合には、何かの理由（故障、メンテナンス、温泉水の供給なし）により一部の熱電発電装置で発電が行われない場合であっても、他の熱電発電装置で発電された電力が供給されるため、より安定性の高い照明を行うことができる。
【００９３】
実施形態１１に係る地域照明システムは、照明装置として発光色の異なる複数のＬＥＤ素子を含んでいる。このため、もともと消費電力の低いＬＥＤを用いて照明を行うことができるため、この地域照明システムを長時間にわたって稼働しても、電気代がそれほど高いものにならず、また、環境にも大きな負荷をかけることがなくなる、という効果が大きくなる。また、発光させるＬＥＤを適宜選択することにより、照明色を適宜選択することが可能になる。複数のＬＥＤ素子としては、色表現の自由度の点を考慮すれば、赤、緑、青のＬＥＤ素子を含むことが好ましい。また、特定の色（例えば、「かりん色」、「ほたる色」）を再現するのに適した色又は組み合わせのＬＥＤ素子を含むこともまた好ましい。
【００９４】
実施形態１１に係る地域照明システムは、照明装置の照明色を変化させるためのコントローラをさらに備えている。このため、所定の地域内で同一系統色の照明を行うことが容易になる。例えば、旅館街、商店街、ビジネス街、学生街、住宅街のような所定の地域内毎に照明色を異ならせることが容易となる。また、例えば、夕方、深夜、明け方のような時間帯毎に照明色を異ならせることも容易となる。さらにまた、季節によって照明色を変化させることもできるようになる。例えば、秋、冬、春は温かみのある「かりん色」の照明を行い、夏は涼しい「ほたる色」の照明を行うようにすることができる。
【００９５】
（実施形態１２）
図１５は、本発明の実施形態１２に係る地域照明システムの説明図である。この地域照明システムは、熱電発電装置（図示せず。）と、図１５に示されたような複数の照明装置を備えている。この照明装置は、図１５に示されるように、町のような比較的広い所定地域内において設置される街路灯や各種装飾灯などの照明装置を含む。好ましくはその所定地域にある複数の熱電発電装置で発電された電力を用いて照明を行っている。そして、これらの街路灯の照明色は、所定地域域内で同一系統色（例えば「かりん色」）としている。
【００９６】
このため、実施形態１２に係る地域照明システムは、実施形態１１に係る地域照明システムと同様に、発電コストの安い熱電発電装置で発電された安価な電力を用いることができるため、これらの地域照明システムを長時間にわたって稼働しても、電気代がそれほど高いものにならず、また、環境にも大きな負荷をかけることがなくなる。また、複数の熱電発電装置を備えているため、発電される電力も大きなものとなり、かなり広い地域の照明を賄うことができる。そして、そのかなり広い地域全体にわたって同一系統色の照明を行うことができるため、広い地域全体にわたってその地域全体のイメージアップ、その地域全体の統一感の向上、その地域全体の美化など、その地域全体にとって好ましい環境を創出することができる。
【００９７】
実施形態１２に係る地域照明システムにおいては、複数の熱電発電装置が協力して複数の照明装置に電力を供給するようなシステムとしている。このため、何かの理由（故障、メンテナンス、温泉水の供給なし）により一部の熱電発電装置で発電が行われない場合であっても、他の熱電発電装置で発電された電力が供給されるため、より安定性の高い照明を行うことができる。
【００９８】
実施形態１２に係る地域照明システムにおいては、熱電発電装置は、大気中に熱を放出する放熱部材をさらに有している。このため、実施形態１２に係る地域照明システムは、放熱のための冷却水を必ずしも必要としなくなるため、運転コストをさらに安価なものにすることができる。このため、この地域照明システムを長時間にわたって稼働しても、電気代がそれほど高いものにならず、また、環境にも大きな負荷をかけることがなくなる、という効果が大きくなる。
【００９９】
実施形態１２に係る地域照明システムは、照明装置として発光色の異なる複数のＬＥＤ素子を含んでいる。このため、もともと消費電力の低いＬＥＤを用いて照明を行うことができるため、この地域照明システムを長時間にわたって稼働しても、電気代がそれほど高いものにならず、また、環境にも大きな負荷をかけることがなくなる、という効果が大きくなる。また、発光させるＬＥＤを適宜選択することにより、照明色を適宜選択することが可能になる。複数のＬＥＤ素子としては、色表現の自由度の点を考慮すれば、赤、緑、青のＬＥＤ素子を含むことが好ましい。また、特定の色（例えば、「かりん色」、「ほたる色」）を再現するのに適した色又は組み合わせのＬＥＤ素子を含むこともまた好ましい。
【０１００】
実施形態１２に係る地域照明システムは、照明装置の照明色を変化させるためのコントローラをさらに備えている。このため、所定の地域内で同一系統色の照明を行うことが容易になる。例えば、旅館街、商店街、ビジネス街、学生街、住宅街のような所定の地域内毎に照明色を異ならせることが容易となる。また、例えば、夕方、深夜、明け方のような時間帯毎に照明色を異ならせることも容易となる。さらにまた、季節によって照明色を変化させることもできるようになる。例えば、秋、冬、春は温かみのある「かりん色」の照明を行い、夏は涼しい「ほたる色」の照明を行うようにすることができる。
【図面の簡単な説明】
【図１】本発明の実施形態１に係る熱電発電システムの説明図である。
【図２】本発明の実施形態１に係る熱電発電システムの部分拡大図である。
【図３】本発明の実施形態１に係る熱電発電システムにおける電光掲示板装置の外観図であるである。
【図４】本発明の実施形態１に係る熱電発電システムのブロック図である。
【図５】本発明の実施形態２に係る熱電発電システムにおける有機ＥＬ表示装置の外観図である。
【図６】本発明の実施形態３に係る熱電発電システムにおける屋外型イルミネーション装置の構成図である。
【図７】本発明の実施形態４に係る熱電発電システムにおけるライトアップ装飾装置の外観図である。
【図８】本発明の実施形態５に係る熱電発電システムにおける光ファイバー型装飾装置の外観図である。
【図９】本発明の実施形態６に係る熱電発電システムにおける有機ＥＬ表示装置の外観図である。
【図１０】本発明の実施形態７に係る熱電発電システムにおけるバックライティング装置の外観図である。
【図１１】本発明の実施形態８に係る熱電発電システムにおける防犯灯装置の外観図である。
【図１２】本発明の実施形態９に係る熱電発電システムにおける凍結防止装置の説明図である。
【図１３】本発明の実施形態１０に係る熱電発電システムにおける換気装置の説明図である。
【図１４】本発明の実施形態１１に係る地域照明システムの説明図である。
【図１５】本発明の実施形態１２に係る地域照明システムの説明図である。
【図１６】熱電発電素子の熱電発電機構を説明するための図である。
【図１７】従来の熱電発電装置の外観図である。
【符号の説明】
１０・・・熱電発電システム
２０・・・家屋
２０Ａ・・・家屋（屋根裏）
２０Ｂ・・・家屋（床下）
２０Ｃ・・・家屋（部屋）
２２・・・浴槽
３０・・・温水タンク
３２・・・供給ライン
３２Ｖ・・・取水バルブ
３４・・・オーバーフロー管
３６・・・ドレイン管
３６Ｖ・・・ドレインバルブ
３８・・・屋内導入管
３８Ｖ・・・屋内導入バルブ
４０・・・地面
４２・・・排水溝
５０・・・熱電発電装置
５２・・・電力線
５４・・・屋内制御装置
６０・・・サブタンク
６２・・・タンク本体
６４・・・断熱材
７０・・・熱電発電部
７２・・・断熱材
７４・・・放熱部材
８０・・・コントローラー
１１０・・・電光掲示板装置
１１２・・・ＬＥＤ
１１４・・・筐体
１１８・・・コントローラーへの電線
１２０・・・有機ＥＬ表示装置
１２２・・・有機ＥＬ材料で描かれた絵
１２４・・・筐体
１２８・・・コントローラーへの電線
１３０・・・屋外型イルミネーション装置
１３２・・・電球
１３４・・・クリスマスツリー
１３８・・・コントローラーへの電線
１４０・・・装飾装置
１４２・・・絵
１４４・・・防水シート
１４６・・・ライト
１４８・・・コントローラーへの電線
１５０・・・光ファイバー装飾装置
１５２・・・光ファイバー
１５３・・・光ファイバー先端部
１５４・・・固定台
１５５・・・回転台
１５８・・・コントローラーへの電線
１６０・・・有機ＥＬ装飾装置
１６２・・・有機ＥＬ材料で描かれた絵
１６４・・・防水シート
１６８・・・コントローラーへの電線
１７０・・・バックライティング装飾装置
１７２・・・絵
１７４・・・防水シート
１７６・・・ライト
１７８・・・コントローラーへの電線
１８０・・・防犯灯装置
１８２・・・ライト
１８４・・・本体
１８６・・・センサ
１８８・・・コントローラーへの電線
１９０・・・凍結防止装置
１９２・・・凍結防止帯（加熱ヒータ）
１９４・・・サーモスタット
１９６・・・水道管
１９７・・・流し
１９８・・・コントローラーへの電線
２０２Ａ・・・換気装置（屋根裏）
２０２Ｂ・・・換気装置（床下）
２０２Ｃ・・・換気装置（部屋）
８００・・・熱電発電素子
８１０Ｎ・・・Ｎ型半導体
８１０Ｐ・・・Ｐ型半導体
８２０Ｈ・・・吸熱側セラミック
８２０Ｌ・・・放熱側セラミック
８３０Ｈ・・・吸熱側電極
８３０Ｌ・・・放熱側セラミック
９００・・・熱電発電装置
９２２・・・吸熱面
９２４・・・熱電発電素子
９２６・・・放熱面
９３０・・・温水導入口
９３２・・・温水排水口
９３４・・・冷水導入口
９３６・・・冷水排水口
Ｖ・・・電圧計
Ａ・・・電流計
Ａ２・・・半導体層
Ａ１・・・吸熱側電極
Ａ３・・・放熱側電極
【図１】
2004048974.tif 000003
【図２】
2004048974.tif 000004
【図３】
2004048974.tif 000005
【図４】
2004048974.tif 000006
【図５】
2004048974.tif 000007
【図６】
2004048974.tif 000008
【図７】
2004048974.tif 000009
【図８】
2004048974.tif 000010
【図９】
2004048974.tif 000011
【図１０】
2004048974.tif 000012
【図１１】
2004048974.tif 000013
【図１２】
2004048974.tif 000014
【図１３】
2004048974.tif 000015
【図１４】
2004048974.tif 000016
【図１５】
2004048974.tif 000017
【図１６】
2004048974.tif 000018
【図１７】
2004048974.tif 000019